(57)【要約】【課題】扉の閉め忘れが防止できる電気錠装置を提供する。【解決手段】電気錠装置は、扉の開放をセンサにより検知すると開放時間の計測を開始し、扉の開放が所定時間経過すると警報を作動させて扉の閉め忘れを報知する。警報は手動操作で停止させても扉の開放が所定時間経過すると再び作動し、警報作動中に扉を閉塞すると自動的に施錠するとともに警報が停止する。また、警報を停止させて所定時間内に扉を閉塞すると施錠だけを自動的に行う。【選択図】図３
2006348676.tif 000002
【特許請求の範囲】
【請求項１】
電気錠を解錠して扉を開放した状態で所定時間経過すると警報手段により報知するようにしたことを特徴とする電気錠装置。
【発明の詳細な説明】
【技術分野】
【０００１】
本発明は、電気錠の施解錠を制御する電気錠装置に関する。
【背景技術】
【０００２】
従来から電気錠は、例えば建物の扉や通信機器などを収納するラックの扉など様々な扉に利用されている。そして電気錠には扉の施錠忘れを防止するために解錠して扉を開放した後、扉を閉塞して所定時間経過すると警報音や音声で報知してから自動的に施錠するものがあった（例えば、特許文献１参照）。
【０００３】
【特許文献１】特開２００３−３４３１２６号公報
【発明の開示】
【発明が解決しようとする課題】
【０００４】
しかしながら、従来の電気錠装置は扉を閉塞しなければ報知をしないので、例えば建物などに用いられる扉のように開放状態で保持できずに自動的に閉塞する構造であれば問題ないが、例えば通信機器を収納するラックなどに用いられる扉のように開放状態で保持できる構造の扉においては扉を閉め忘れた場合に警報音や音声で報知しないという欠点があった。
【課題を解決するための手段】
【０００５】
本発明は、電気錠を解錠して扉が開放した状態で所定時間経過すると警報手段により報知するようにしたことを特徴とする。
【発明の効果】
【０００６】
本発明によれば、扉の閉め忘れが防止できるという効果がある。
【発明を実施するための最良の形態】
【０００７】
電気錠装置は、扉の開放を検知すると開放時間を計測し、扉の開放が所定時間経過すると警報を作動させて扉の閉め忘れを報知する。警報は手動操作で停止させても扉の開放が所定時間経過すると再び作動し、警報作動中に扉を閉塞すると自動的に施錠するとともに警報が停止する。また、警報を停止させて所定時間内に扉を閉塞すると施錠だけを自動的に行う。
【実施例１】
【０００８】
本発明に係る電気錠装置の実施例１を図１〜図３の添付図面に基づいて説明する。
【０００９】
電気錠装置１は、例えば、通信機器などを収納するラックの扉のように開放した状態で保持できる構造の扉に好適に用いられ、扉２から出没して枠３の被係止部４に係止するロック部５と、このロック部５を作動させる作動機構部６と、作動機構部６の作動などの各種制御を行う制御部７と、施錠・解錠操作や設定操作などをするための操作部８と、施錠・解錠状態を表示するＬＥＤ９ａ，９ｂと操作部８の入力などを表示する液晶部９ｃから成る表示部９と、扉２の開閉状態を検知するために枠３側に取り付けられた磁石部１０ａと扉２側に取り付けられたスイッチ部１０ｂとで成る近接スイッチなどのセンサ１０と、扉２の開放時間を計時する計時部１１と、扉２の異常を報知する警報手段１２と、各部に電源を供給する電源部１３とを備えている。尚、１４は扉２に取り付けられた把手である。
【００１０】
このように構成された電気錠装置１は、操作部８を手動操作することにより制御部７が操作部８の入力に応じて作動機構部６がロック部５を出没させ、施錠操作をするとロック部５が突出して被係止部４に係止することで施錠し、解錠操作するとロック部５が没入して被係止部４との係止が解除されることで解錠するようになっている。尚、扉２を閉塞すると自動的に施錠するように自動施錠モードを設定することもできる。これらの操作部８の入力や結果は表示部９の液晶部９ｃで確認でき、施錠・解錠状態は表示部９のＬＥＤ９ａ，９ｂの色で判別できる。施錠時は赤色のＬＥＤ９ａが点灯し、解錠時は緑色のＬＥＤ９ｂが点灯して施錠・解錠状態を表示する。
【００１１】
次に扉２を開放した際の電気錠装置１の動作を図３のフローチャートを基に説明する。
まず、センサ１０により扉２が開放されたかどうかを監視している（ステップＳ１）。そして、電気錠装置１を解錠して扉２が開放されると、センサ１０がこれを検知し（ステップＳ１−Ｙ）、計時部１１が開放時間の計測を開始する（ステップＳ２）。その後、扉２が閉塞されたかどうかの監視（ステップＳ３）と開放時間が所定時間経過したかどうかの監視（ステップＳ４）を行う。ここで所定時間経過前（ステップＳ４−Ｎ）に扉２を閉塞し、これをセンサ１０が検知すると（ステップＳ３−Ｙ）、制御部７は作動機構部６を作動させて自動的に施錠を行い（ステップＳ５）、扉２の開放の監視（ステップＳ１）に戻る。また、扉２が閉塞されずに（ステップＳ３−Ｎ）開放時間が所定時間経過すると（ステップＳ４−Ｙ）制御部７は周囲にいる人に扉の閉め忘れを気づかせるように、例えば、スピーカ１２ａから警報音や音声を出力したり、図示しないがライトを点滅させるなど、警報手段１２を作動させる（ステップＳ６）。
【００１２】
警報作動後は扉２が閉塞されたかどうか監視するとともに（ステップＳ７）、警報手段１２が停止したかどうかを監視する（ステップＳ８）。作動した警報手段１２は操作部８の操作により停止させることができ、扉２を閉塞しないで（ステップＳ７−Ｎ）警報手段１２を停止すると（ステップＳ８−Ｙ）、再び計時部１１が開放時間の計測を開始し（ステップＳ２）、所定時間内（ステップＳ４−Ｎ）に扉を閉塞すると（ステップＳ３−Ｙ）自動的に施錠され（ステップＳ５）、扉２を閉塞しないで（ステップＳ３−Ｎ）所定時間経過すると（ステップＳ４−Ｙ）再び警報手段１２が作動する（ステップＳ６）。また、警報手段１２を停止せず（ステップＳ８−Ｎ）に扉２を閉塞し、センサ１０がこれを検知すると（ステップＳ７−Ｙ）、制御部７は作動機構部６を作動させて自動的に施錠と警報停止を行う（ステップＳ９）。電気錠装置１が施錠されると扉２が開放されたかどうかの監視に戻る（ステップＳ１）。
【００１３】
尚、本実施例では扉の閉塞を検知すると自動的に施錠する自動施錠モードの場合について説明しているが、手動で施錠を行う場合はステップＳ５とステップＳ９の自動施錠動作を省くだけでその他の動作は同様である。また、警報が作動する扉の開放時間の設定については操作部を操作して任意に設定することができ、また、警報手段１２は必ずしも扉２の近傍に設ける必要はなく、遠隔の監視センターなどに信号を出力して扉の閉め忘れを知らせるようにしても良い。
【図面の簡単な説明】
【００１４】
【図１】本発明の電気錠装置を示す説明図である。
【図２】本発明の電気錠装置の構成を示すブロック図である。
【図３】本発明の電気錠装置の動作を示すフローチャートである。
【符号の説明】
【００１５】
１    電気錠装置
２    扉
３    枠
４    被係止部
５    ロック部
６    作動機構部
７    制御部
８    操作部
９    表示部
１０    センサ
１１    計時部
１２    警報手段
１３    電源部
【図１】
2006348676.tif 000003
【図２】
2006348676.tif 000004
【図３】
2006348676.tif 000005